(57)【要約】【課題】　本発明は、電子商品券を贈与する方法に関する。【解決手段】　本方法は、贈与の目的による主題を前記ユーザが選定することができるように前記ネットワーク接続媒介手段を通じて提供する段階と、前記ネットワーク接続媒介手段から選ばれた主題を受信する段階と、前記選ばれた主題に対応するデジタルコンテンツを、前記ユーザが選定できるように前記ネットワーク接続媒介手段を通じて提供する段階と、前記ユーザにより選ばれたデジタルコンテンツを貯蔵する段階と、前記デジタルコンテンツを含む前記電子商品券到着メッセージを前記受領者の移動電話番号の移動通信端末機に伝送する段階と、前記電子商品券到着メッセージに対する前記受領者の電子商品券受領意思メッセージを前記受領者の移動通信端末機から受信する段階と;前記電子商品券受領意思メッセージによって前記ユーザの電子商品券を前記受領者に振込む段階と；を含む。【選択図】　　　図２
2004103011.tif 000002
【特許請求の範囲】
【請求項１】
　ユーザのネットワーク接続媒介手段により電子商品券プラットフォームに接続して所定金額の電子商品券を選ぶ段階と、受領者の移動電話番号を入力する段階とを含む前記電子商品券プラットフォーム上で実行する電子商品券を贈与する方法において、
前記電子商品券を贈与する方法は、贈与の目的による主題を前記ユーザが選定できるように前記接続媒介手段を通じて提供する段階と；
前記接続媒介手段から選ばれた主題を受信する段階と；
前記選ばれた主題に対応するデジタルコンテンツを前記ユーザが選定できるように前記接続媒介手段を通じて提供する段階と；
前記ユーザにより選ばれたデジタルコンテンツを貯蔵する段階と；
前記デジタルコンテンツを含む前記電子商品券到着メッセージを前記受領者の移動電話番号の移動通信端末機に伝送する段階と；
前記電子商品券到着メッセージに対する前記受領者の電子商品券受領意思メッセージを前記受領者の移動通信端末機から受信する段階と;
前記電子商品券受領意思メッセージによって前記ユーザーの電子商品券を前記受領者に振込む段階と；
を実行することを特徴とするデジタルコンテンツを利用した電子商品券の贈与方法。
【請求項２】
　前記デジタルコンテンツは、前記受領者の移動通信端末機の種類によって違うように表示され、前記方法は、前記デジタルコンテンツを選定する時、その表示様式を選定する段階をさらに実行することを特徴とする請求項1に記載のデジタルコンテンツを利用した電子商品券の贈与方法。
【請求項３】
　前記デジタルコンテンツの内容は、前記主題によって予め前記電子商品券プラットホームに貯蔵されていることを特徴とする請求項2に記載のデジタルコンテンツを利用した電子商品券の贈与方法。
【請求項４】
　前記デジタルコンテンツは、絵、写真、音楽、動映像、アニメーション、テキスト中の少なくとも一つを含むことを特徴とする請求項3に記載のデジタルコンテンツを利用した電子商品券の贈与方法。
【請求項５】
　前記電子商品券の贈与方法は、前記ユーザに課金する段階をさらに実行することを特徴とする請求項1ないし4の何れか一つに記載のデジタルコンテンツを利用した電子商品券の贈与方法。
【請求項６】
　前記課金は、前記ユーザにより選ばれたデジタルコンテンツの表示形態を基準に決定されることを特徴とする請求項5に記載のデジタルコンテンツを利用した電子商品券の贈与方法。
【請求項７】
　前記電子商品券の贈与方法は、前記ユーザの移動通信端末機で前記電子商品券の振込み結果を伝送する段階をさらに実行することを特徴とする請求項1に記載のデジタルコンテンツを利用した電子商品券の贈与方法。
【請求項８】
　前記電子商品券の贈与方法は、前記電子商品券プラットホームにおいて前記ユーザが前記ネットワーク接続手段により追加メッセージを入力できるようにする段階と、前記入力されたメッセージを前記電子商品券到着メッセージに包含させて、
前記受領者の移動通信端末機に伝送する段階とをさらに実行することを特徴とする請求項１に記載のデジタルコンテンツを利用した電子商品券の贈与方法。
【請求項９】
　前記電子商品券の贈与方法は、前記電子商品券プラットホームにおいて、前記ユーザが前記ネットワーク接続手段により前記電子商品券到着メッセージの伝送時期を入力できるようにする段階をさらに実行する、
前記電子商品券到着メッセージを伝送する段階は、前記電子商品券プラットホームが前記入力された時期に前記電子商品券到着メッセージを前記受領者の移動通信端末機に伝送する段階であることを特徴とする請求項1に記載のデジタルコンテンツを利用した電子商品券の贈与方法。
【請求項１０】
　前記電子商品券受領意思メッセージは、受領許容メッセージと受領拒否メッセージの何れか一つであり、前記受領者の電子商品券受領意思メッセージが受領拒否である場合、前記方法は、前記電子商品券プラットホームが受領拒否メッセージを受信すると、前記電子商品券プラットホームが前記ユーザの移動通信端末機に前記受領者の受領拒否を知らせる段階をさらに含むことを特徴とする請求項１に記載のデジタルコンテンツを利用した電子商品券の贈与方法。
【請求項１１】
　前記電子商品券の贈与方法は、前記受領拒否メッセージを受信するか、所定の期間内に受領許容メッセージを受信しない場合、前記電子商品券プラットホームが前記電子商品券の贈与を取消す段階をさらに実行することを特徴とする請求項10に記載のデジタルコンテンツを利用した電子商品券の贈与方法。
【発明の詳細な説明】
【技術分野】
【０００１】
　本発明は、電子商品券を贈与する方法に係るもので、特にデジタルコンテンツを一緒に提供することによって受領者に視覚的及び聴覚的メッセージの伝達ができるようにする、デジタルコンテンツを利用した電子商品券を贈与する方法である。
【背景技術】
【０００２】
　現在、紙またはプリペイドカード(prepaid card)などの実物商品券が無記名式で発行および流通されており、その使用範囲も日増しに拡大しつつある。然し、商品券は、基本的にオフラインを前提にして販売、使用されているものであって、ユーザが商品券を購入したり使用する時は、必ず商品券を持参しなければならないという不都合な点がある。
【０００３】
　また、商品券は、主に他人への贈与(プレゼント）などの用途で使われており、そのような贈与は、当事者間の接触を通じて可能となり、さらに紛失、毀損及び盗難等、ユーザに経済的損失を招く可能性もあった。
【０００４】
　最近、インターネットの飛躍的な発展によって電子取り引きが活性化され、流通されている商品券も電子化され情報通信的手段による発行および流通に対する要求が高まっている。
【０００５】
　一方、近年、移動通信加入者の数が大幅に増加して、いまや移動通信の大衆化時代が開かれており、移動通信は、人間生活の中心領域として発展していると言っても過言ではない。移動通信は、時間と空間の制約を受けない媒体であることや、既にそのインフラ(infrastructure)が安定的に構築されていることなどにその魅力がある。
【０００６】
　このような状況で、大勢の人が所持している移動通信端末機を利用して電子商品券を購買および使用できる技術が提案されるとしたら非常に便利なものになるだろう。即ち、利用者は、直接商品券を買うためにデパートまたは商品券販売業者を訪問する必要がなく、移動通信端末機さえあれば、簡単に商品券を購買および使用することができるようになり、商品券を手元に持参する必要がなくなるなど、その使用上の便利さが大きく向上する。
【０００７】
　従来、前記のような問題を解決するために、特許文献１2001年韓国特許出願第19421号移動通信端末機を利用した電子商品券の流通方法は、利用者が常時所持する移動通信端末機を利用して簡単に電子商品券を贈与できる方法を開示している。
【０００８】
　特許文献２前記韓国特許出願第19421号電子商品券流通方法は、電子商品券を所持する利用者が無線インターネット接続機能を具備した移動通信端末機を利用して電子商品券サービスサーバーに接続する段階と、前記利用者が受領者の移動通信番号を含む情報を入力して前記電子商品券の贈与を要請する段階と、前記電子商品券サービスサーバーが前記受領者の移動通信番号に受領意思を確認する段階と、前記受領者から受領意思が確認された場合、前記利用者の仮想口座から前記受領者の仮想口座に前記電子商品券の金額に該当する金額を振込む段階と、前記利用者に前記電子商品券の贈与処理が完了したことを通報する段階とを含む。
【０００９】
【特許文献１】2001年韓国特許出願第19421号移動通信端末機
【特許文献２】前記韓国特許出願第19421号電子商品券流通方法
【発明の開示】
【発明が解決しようとする課題】
【００１０】
　このような従来の電子商品券の贈与(プレゼント)方法は、単純に前記電子商品券の贈与または贈与事実を受領者に知らせる方法だけを開示しており、前記受領者に他の感性的要素を提供することはできなかった。
【００１１】
　また、従来の電子商品券の贈与(プレゼント)方法は、その贈与の際、他のメッセージを付加することは出来なかった。
【００１２】
　前記のような問題点を解決するために、本発明は、電子商品券の贈与方法としてデジタルコンテンツを使用する方法を提供することを目的とする。
【００１３】
　また、本発明は、利用者が所定の主題によってデジタルコンテンツを自由に選んで利用者の独特なデジタルコンテンツを形成してこれを利用した提供方法を提供することを目的とする。
【００１４】
　また、本発明は、デジタルコンテンツが付与された電子商品券の贈与の確認を短文メッセージを利用して行う方法を提供することを目的とする。
【００１５】
　また、本発明は、電子商品券を贈与する際、さらにメッセージを伝達できる方法を提供することを目的とする。
【００１６】
　また、本発明は、利用者がデジタルコンテンツの伝送時期を指定できるようにする方法を提供することを目的とする。
【課題を解決するための手段】
【００１７】
　本発明のデジタルコンテンツを利用した電子商品券の贈与方法は、ユーザのネットワーク接続媒介手段により電子商品券のプラットフォームに接続して、所定金額の電子商品券を選ぶ段階と、受領者の移動電話番号を入力する段階と、を含む前記電子商品券プラットフォーム上で実行される電子商品券を贈与する方法において、
　前記電子商品券の贈与方法は、贈与の目的による主題を前記ユーザが選定することができるように前記ネットワーク接続媒介手段を通じて提供する段階と、前記ネットワーク接続媒介手段から選ばれた主題を受信する段階と、前記選ばれた主題に対応するデジタルコンテンツを、前記ユーザが選定できるように前記ネットワーク接続媒介手段を通じて提供する段階と、前記ユーザにより選ばれたデジタルコンテンツを貯蔵する段階と、前記デジタルコンテンツを含む前記電子商品券到着メッセージを前記受領者の移動電話番号の移動通信端末機に伝送する段階と、前記電子商品券到着メッセージに対する前記受領者の電子商品券受領意思メッセージを前記受領者の移動通信端末機から受信する段階と、前記電子商品券受領意思メッセージによって前記ユーザの電子商品券を前記受領者に振込む段階と、を含む。
【００１８】
　また、前記デジタルコンテンツは、前記受領者の移動通信端末機の種類によって別々に表示されることがあり、前記方法は、前記デジタルコンテンツを選定する時、その表示様式を選定する段階をさらに含むことが望ましい。
【００１９】
　また、前記デジタルコンテンツの内容は、前記主題によって予め前記電子商品券のプラットホームに貯蔵されていることが望ましい。
【００２０】
　また、前記デジタルコンテンツは、絵、写真、音楽、動映像、アニメーション、テキスト中の少なくともひとつを含むことが望ましい。
【００２１】
　また、前記電子商品券の贈与方法は、前記ユーザに課金する段階をさらに含むことが望ましく、前記課金は、前記ユーザにより選ばれたデジタルコンテンツの表示形態を基準にして決められることが望ましい。
【００２２】
　また、前記電子商品券の贈与方法は、前記ユーザの移動通信端末機に前記電子商品券の振込み結果を伝送する段階をさらに含むことが望ましい。
【００２３】
　また、前記電子商品券の贈与方法は、前記電子商品券プラットホームにおいて前記ユーザが前記ネットワーク接続手段を通じて追加メッセージを入力できるようにする段階と、前記入力されたメッセージを前記電子商品券到着メッセージに包含させて、前記受領者の移動通信端末機に伝送する段階をさらに含むことが望ましい。
【００２４】
　また、前記電子商品券の贈与方法は、前記電子商品券プラットホームが前記ユーザが前記ネットワーク接続手段を通じて前記電子商品券到着メッセージの伝送時期を入力できるようにする段階をさらに含み、前記電子商品券到着メッセージを伝送する段階は、前記電子商品券プラットホームが前記入力された時期に前記電子商品券到着メッセージを前記受領者の移動通信端末機に伝送する段階であることのが望ましい。
【００２５】
　また、前記電子商品券受領意思メッセージは、受領許容メッセージと受領拒否メッセージ中の一つであり、方法は、前記受領者の電子商品券受領意思メッセージが受領拒否のメッセージである場合、前記方法は、前記電子商品券プラットホームが受領拒否メッセージを受信すれば、前記電子商品券プラットホームが、前記ユーザの移動通信端末機に前記受領者の受領拒否を知らせる段階をさらに含むことが望ましい。
【００２６】
　また、前記電子商品券の贈与方法は、前記受領拒否メッセージを受信したり、所定の期間内に受領許容メッセージを受信しない場合、前記電子商品券プラットホームが前記電子商品券の贈与を取消す段階をさらに含むことが望ましい。
【発明の効果】
【００２７】
　前記のような構成にすることにより、本発明は、電子商品券の贈与方法でデジタルコンテンツを電子商品券と一緒に受領者に伝送するが、文字での贈与事実の伝達以上の視覚的及び聴覚的伝達を遂行する効果がある。
【００２８】
　また、本発明は、利用者にとって所望の表示形態のデジタルコンテンツを選ふことによって独特のデジタルコンテンツを形成できる効果がある。
【００２９】
　また、本発明はデジタルコンテンツが付与された電子商品券の贈与の確認を短文メッセージを利用して行うもので、別途のプロセスは要求されない。
【００３０】
　また、本発明は電子商品券を贈与する時、さらにメッセージをも伝達できる方法を提供することによって、より利用者の感情を積極的に表現できるという効果がある。
【００３１】
　また、本発明は、デジタルコンテンツの表示形態によって課金が行われるという効果がある。
【発明を実施するための最良の形態】
【００３２】
　以下のように、本発明を、本発明の実施例及び添付図面に基づいてデジタルコンテンツを利用した電子商品券を贈与する方法を詳細に説明するが、以下の実施例及び図面によって本発明の範囲が制限されるのではなく、本発明の範囲は後述する特許請求の範囲に記載の内容によって制限される。
【００３３】
　図１は、本発明の移動通信端末機などを利用した電子商品券の贈与方法が具現されるシステムの構成図である。
【００３４】
　詳しくは、本発明の移動通信端末機などを利用した電子商品券の贈与方法が具現されるシステムは、電子商品券を受領者に贈与するユーザのネットワーク接続媒介手段1(即ち、移動通信端末機または特定インターネットのウェブサイトに接続するためのコンピュータ、PDA等)と、受領者の移動通信端末機2と、無線信号を中継する基地局10と、無線信号をネットワーク30を通じて送受信する移動通信社サーバー20と、ユーザからの受領者への電子商品券の贈与(プレゼント)を管理する電子商品券プラットホーム40とで構成される。
【００３５】
　図２は、図１の電子商品券プラットホーム40の簡略構成図である。図２に示すように、電子商品券プラットホーム40は、ネットワーク30との接続のためのネットワークインターフェース41と、全体プラットホームを管理制御する制御手段42と、ユーザの情報を貯蔵するユーザデータベース(以下、‘ユーザDB’という)43と、このユーザの所有である電子商品券を貯蔵する電子商品券DB44およびデジタルコンテンツを貯蔵するデジタルコンテンツDB45とからなる。
【００３６】
　前記ユーザDB43と電子商品券DB44は、相互緊密な関連がある。即ち各ユーザが所有する電子商品券が電子商品券DB44に貯蔵される。
【００３７】
　デジタルコンテンツDB45に貯蔵されたデジタルコンテンツは、絵、写真、音楽、動映像、アニメーション、テキスト(各種挨拶の言葉、お祝いの言葉等)等で構成される。デジタルコンテンツは、まず電子商品券を贈与しようとする理由(目的)に対応する主題により分類される。例えば、誕生日、卒業、入社、昇進、パレンタインデー、先生の日、母の日などがある。その次に、主題によってデジタルコンテンツが分類されて、デジタルコンテンツDB45に既に貯蔵されている。
【００３８】
　また、デジタルコンテンツDB45は、受領者の移動通信端末機2の種類によって表示される形態が変わるデジタルコンテンツを貯蔵する。即ちデジタルコンテンツDB45は、同じ主題に係るデジタルコンテンツであるが、受領者の移動通信端末機2が具現できる画面形態(例えば、単色、白黒、256色等)と音響形態(例えば、単音、4話音、16話音等)とを充足するデジタルコンテンツを貯蔵する。
【００３９】
　図3は、本発明による電子商品券を贈与する方法のフローチャートである。
【００４０】
　段階S30は、本発明による電子商品券を贈与する方法が開始される前に行われる段階である。即ち、ユーザが、ユーザのネットワーク接続媒介手段1が、基地局10と、移動通信社サーバー20及びネットワーク30を通じて電子商品券プラットホーム40に接続したり、または、電子商品券プラットホーム40と連動する無線または、有線ウェブサイトにユーザのネットワーク接続媒介手段1がTCP/IPのようなプロトコルに接続して結果的に電子商品券プラットホーム40に接続する段階と、電子商品券の贈与を選択する段階と、電子商品券を受ける受領者の移動通信番号(及び/または氏名）の入力段階と、ユーザが受領者に贈与しようとする電子商品券の金額及び/または種類などを選択する段階とが含まれる。
【００４１】
　段階S31において、電子商品券プラットホーム40の制御手段42は、ユーザにとって接続媒介手段1で電子商品券を贈与する目的に対応する主題を選定できるように所定の主題をネットワークインターフェース41を通じて伝送する。次に、ユーザは、伝送された主題から所望の項目を選んで電子商品券プラットホーム40に接続媒介手段1を通じて伝送する。
【００４２】
　段階S32において、電子商品券プラットホーム40は、段階S31でユーザにより選ばれた主題に係るデジタルコンテンツを順次、または同時に接続媒介手段1に伝送する。例えば、絵を選定する段階と、写真を選定する段階と、音楽を選定する段階と、動映像を選定する段階と、アニメーションを選定する段階とテキストを選定する段階とを順次遂行する事もできるが、ユーザの接続媒介手段1に全体デジタルコンテンツを一挙に伝送して、ユーザが順序に拘らず、絵、写真、音楽、動映像、アニメーション、テキストの中から少なくとも一つ以上を選ぶことができる。
【００４３】
　また、この段階S32においては、ユーザが、色んな種類のデジタルコンテンツを選定する時、電子商品券プラットホーム40は、ユーザにとって各デジタルコンテンツの表示形態をも選定できるようにする。
【００４４】
　段階S33では、電子商品券プラットホーム40は、ユーザの接続媒介手段1にユーザがさらに送ろうとするメッセージを記載することができるメッセージ欄を提供する。例えは、ユーザが追加メッセージを送ろうとする場合は、ユーザは、接続媒介手段1のキーボードでメッセージを入力すればよいが(段階S34）、そうでなければ、そのまま空欄のまま残して置けばよい。
【００４５】
　段階S35においては、電子商品券プラットホーム40は、ユーザが電子商品券到着メッセージを伝送する時期を指定できるようにする。例えば、ユーザは、電子商品券の到着メッセージを直ちに発送する即時発送または所望の時期に電子商品券到着メッセージを発送する予約発送を選ぶことができる。電子商品券プラットホーム40は、デフォルトとして電子商品券到着メッセージを受領者の端末機2に直ちに発送するが、ユーザが、例えば3日後に電子商品券到着メッセージが伝送されることを希望することもあるので、このような段階が要求される。例えユーザが予約発送を選定した場合には、電子商品券プラットホーム40は、ユーザが希望する発送時期を入力して貯蔵する。
【００４６】
　段階S36において、電子商品券プラットホーム40は、ユーザにより選ばれたデジタルコンテンツと、追加メッセージ(ある場合)を含む電子商品券到着メッセージを生成する。この電子商品券到着メッセージは、ユーザから受領者に電子商品券が贈与されたことを表すもので、この贈与された電子商品券を受領するか否かを選択できるメッセージをさらに含む。
【００４７】
　段階S37において、電子商品券プラットホーム40は、ユーザが即時発送を選んだ場合には、段階S38に進んで生成された電子商品券到着メッセージを直ちに発送する。一方、ユーザが予約発送を選んだ場合には、段階S39で電子商品券プラットホーム40は、既に貯蔵されてある電子商品券到着メッセージの発送時期を検索して、その発送時期に電子商品券到着メッセージを受領者の移動通信端末機2に伝送する。
【００４８】
　段階40において、受領者の移動通信端末機2は、電子商品券到着メッセージを受信して、この電子商品券到着メッセージに含まれた受領可否に関するメッセージを表示する。受領者が贈与された電子商品券の受領可否を決めて、受領する場合は、段階S41に進み、移動通信端末機2は、電子商品券受領許容メッセージを生成するが、受領しない場合には、段階S42に進行して、電子商品券受領拒否メッセージを生成する。
【００４９】
　段階S41において、受領者の移動通信端末機2は、電子商品券受領許容メッセージを生成して、これを電子商品券プラットホーム40に伝送する。また、受領者の移動通信端末機2は、電子商品券受領許容メッセージを生成すると、電子商品券到着メッセージに含まれたデジタルコンテンツを同時にまたは順次実行する。即ち絵及び/または写真を表示し、音楽、動映像、アニメーションを実行し、テキストまたは追加的なメッセージを表示するようにする。
【００５０】
　段階S42において、受領者の移動通信端末機2は、電子商品券受領拒否メッセージを生成して電子商品券プラットホーム40に伝送する。この時受領者の移動通信端末機2は、電子商品券到着メッセージに含まれたデジタルコンテンツを実行しないこともある。
【００５１】
　段階S43において、電子商品券プラットホーム40は、電子商品券受領許容メッセージと受領拒否メッセージとを含む電子商品券受領メッセージを受領者の移動通信端末機2から受信する。受信された電子商品券受領メッセージによって、即ち、電子商品券受領許容メッセージを受信した場合は、電子商品券プラットホーム40は、電子商品券DB44内のユーザの贈与された電子商品券の所有者を受領者（または、受領者の移動通信端末機2の電話番号）に変更し、ユーザから受領者への振込みを遂行するが、電子商品券受領拒否メッセージを受信すると、前記のような振込み過程は、不要である。また、電子商品券プラットホーム40は、電子商品券受領拒否メッセージを受信するか、または所定の期間(例えば、7日以内)内に電子商品券受領許容メッセージを受信しないと、ユーザの受領者に対する電子商品券の贈与を取消すことができる。
【００５２】
　段階S44において、電子商品券プラットホーム40は、段階S43の振込み結果をユーザの接続媒介手段1に伝送する。例え、振込みが行われたら、電子商品券プラットホーム40は、ユーザの接続媒介手段1に電子商品券を受領者が受領し、振込みが行われたことを知らせるようになる。一方、振込みが行われなかったら、電子商品券プラットホーム40は、ユーザの接続媒介手段1に受領者が電子商品券に対する受領拒否意思を送ってきたことを知らせるようになる。
【００５３】
　段階S45において、電子商品券プラットホーム40は、ユーザにより選ばれたデジタルコンテンツの使用に対する課金を遂行する。この時の課金は、ユーザにより選ばれたデジタルコンテンツの表示形態を基準にして決められる。
【００５４】
　図4は、図3の段階S32の一実施形態である。
【００５５】
　図4の"受領者電話番号"欄は、受領者の移動通信端末機の電話番号を意味し、"商品券選択"欄は、ユーザが受領者に贈与しようとする電子商品券の金額または、種類を選択する欄である。その他、受領者の氏名を記載する欄がさらに含まれることができる。
【００５６】
　"主題"欄は、ユーザが受領者に贈与する理由を意味する。
【００５７】
　"絵"欄は、ユーザにより選ばれた主題に対応する絵を選ぶ欄であるが、例示としてご両親の姿が選ばれている。この"絵"欄は、写真、動映像、またはアニメーションなどが使われる。前記絵は、その表示形態によって1、2、3、4に分類されるが、例えば、1は、単色、2は4色、3は256カラー、4は6万5千カラーなどと定義することができる。
【００５８】
　"音楽"欄は、ユーザにより選ばれた主題に対応する所定の音楽を選ぶ欄である。前記音楽は、その表示形態によって1、2、3、4に分類されるが、例えば、1は単音、2は4話音、3は16話音、4は40和音などと定義することができる。
【００５９】
　"メモ"欄は、所定のテキストを既に電子商品券プラットホーム40に貯蔵し、それを提示する欄である。(前述したテキストと同一)。
【００６０】
　"追加メモ"欄は、"メモ"欄で選ばれたテキストの他に付加えて伝えたいことを書くことが出来るようにする欄である。(前述したメッセージと同一)。 "送信"欄は、ユーザが電子商品券到着メッセージを送る時期をしてする欄である。即ち、即時発送は、電子商品券到着メッセージを直ちに受領者の移動通信端末機2に発送するものであり、予約発送は、ユーザが定めた時期に発送することである。
【００６１】
　図5は、図3の段階S35の一実施形態である。図4に示すように、ユーザが予約発送を選択した場合、電子商品券プラットホーム40は、ユーザが発送時期を接続媒介手段1を通じて入力するようにする。
【００６２】
　図6は、図3の段階S40の一実施形態である。図6に示すように、ユーザの移動通信端末機2は、受信された電子商品券到着メッセージを表示し、即ち受領者に電子商品券が贈与されたことを知らせるメッセージと、1.受領許容、2.受領拒否のうち何れか一つを選ぶように表示する。
【００６３】
　このように、電子商品券到着メッセージは、選ばれた絵、写真、音楽、メモ及び/または、追加メモを含むだけでなく、図6と同じメッセージと電子商品券を受領するのか可否を聞く質問をも含む。
【００６４】
　図6において、受領者が1.受領許容の意思で番号'1'を押すと、受領者の移動通信端末機2は、電子商品券受領許容メッセージを生成して電子商品券プラットホーム40に伝送し、電子商品券到着メッセージに含まれた絵、音楽を実行する。仮りに受領者が2.受領拒否の意思で番号'2'を押すと、受領者の移動通信端末機2は、電子商品券受領拒否メッセージを生成して電子商品券プラットホーム40に伝送する。この時受領者の移動通信端末機2は、受信された電子商品券に含まれた絵、音楽を実行しないこともある。
【図面の簡単な説明】
【００６５】
【図１】本発明の電子商品券の贈与方法が具現されるシステムの構成図である。
【図２】図１の電子商品券プラットホーム40の簡略構成図である。
【図３】本発明による電子商品券を贈与する方法のフローチャートである。
【図４】図２の段階S32の一実施形態である
【図５】図３の段階S35の一実施形態である。
【図６】図３の段階S40の一実施形態である。
【図１】
2004103011.tif 000003
【図２】
2004103011.tif 000004
【図３】
2004103011.tif 000005
【図４】
2004103011.tif 000006
【図５】
2004103011.tif 000007
【図６】
2004103011.tif 000008